(57)【要約】【課題】窓開口の寸法が種々異なった場合にも適用し得る汎用性の高い方法により的確に防水処理を行う。【解決手段】防水窓構造は、窓台１４および一対の柱部材１３を含む開口周縁部材１０と、開口周縁部材１０に取り付けられるサッシ枠２０と、サッシ枠２０と開口周縁部材１０との間に配置されるサッシ用防水部材１０とを備える。サッシ用防水部材１０は、窓台１４とサッシ枠２０との間に配置される中間防水部材３１と、開口周縁部材１０の下側のコーナ部（窓台１４と柱部材１３との接続部及びその近傍）とサッシ枠２０との間に配置される一対のコーナ防水部材３５とを有する。中間防水部材３１は、窓台１４の左右方向の全範囲に亘って延びるように形成され、かつ、各コーナ防水部材３５と窓台１４との間に中間防水部材３１の左右両端部が介在するように配置される。【選択図】図７
2020041295.tif 000002
【特許請求の範囲】
【請求項１】
建物の外壁に形成された開口の周縁を規定する開口周縁部材と、当該開口周縁部材に嵌め込むように取り付けられるサッシ枠と、当該サッシ枠と前記開口周縁部材との間に配置され、前記サッシ枠から前記開口周縁部材への水の浸入を防ぐ可撓性の樹脂からなるサッシ用防水部材とを備えた防水窓構造であって、
前記開口周縁部材は、前記開口の下縁を規定する窓台と、前記開口の左右の側縁を規定する一対の柱部材とを有し、
前記サッシ用防水部材は、前記窓台と前記サッシ枠との間に配置される中間防水部材と、前記窓台の左右両端部と前記一対の柱部材との接続部を含む前記開口周縁部材の下側のコーナ部と前記サッシ枠との間に配置される一対のコーナ防水部材とを有し、
前記中間防水部材は、前記窓台の左右方向の全範囲に亘って延びるように形成され、かつ、前記各コーナ防水部材と前記窓台との間に前記中間防水部材の左右両端部が介在するように配置される、ことを特徴とする防水窓構造。
【請求項２】
請求項１に記載の防水窓構造において、
前記コーナ防水部材は、前記窓台の左右方向の端部における室外側の面を覆う本体部と当該本体部の端部から上方に延びて前記柱部材の室外側の面を覆う上方延設部とを含む前面カバー部と、前面カバー部の本体部の上縁から室内側に突出して前記窓台の左右方向の端部の上面を覆う上面カバー部と、前面カバー部の上方延設部の内縁から室内側に突出して前記柱部材の内側面を覆う側面カバー部とを有し、
前記中間防水部材は、前記窓台の左右方向の全範囲における室内側の面を覆う中間前面カバー部と、当該中間前面カバー部の上縁から室内側に突出して前記窓台の左右方向の全範囲の上面を覆う中間上面カバー部とを有し、かつ、これら中間前面カバー部及び中間上面カバー部の左右方向の端部が前記コーナ防水部材の前面カバー部及び上面カバー部と前記窓台との間に介在するように配置される、ことを特徴とする防水窓構造。
【請求項３】
請求項２に記載の防水窓構造において、
前記コーナ防水部材の前記前面カバー部及び上面カバー部と、前記中間防水部材の前記中間前面カバー部及び中間上面カバー部との間に、両者を貼り合わせるための防水両面テープが設けられ、
前記防水両面テープは、前記前面カバー部及び上面カバー部における前記開口の幅中心に近い側の端部に位置している、ことを特徴とする防水窓構造。
【請求項４】
請求項２または３に記載の防水窓構造において、
前記前面カバー部は、前記本体部の上下方向の寸法が前記上方延設部の左右方向の寸法に対し２倍以上３倍以下の範囲で大きくなるように形成されている、ことを特徴とする防水窓構造。
【請求項５】
建物の外壁に形成された開口の周縁を規定しかつサッシ枠が嵌め込まれる開口周縁部材に対し、可撓性の樹脂からなるサッシ用防水部材を用いて防水処理を施す方法であって、
前記開口周縁部材として、前記開口の下縁を規定する窓台と、前記開口の左右の側縁を規定する一対の柱部材とを含むものを用意する第１のステップと、
前記サッシ用防水部材として、前記窓台と同一の左右方向の寸法を有する中間防水部材と、前記窓台の左右両端部と前記一対の柱部材との接続部を含む前記開口周縁部材の下側のコーナ部に対応する形状の一対のコーナ防水部材とを含むものを用意する第２のステップと、
前記第１及び第２のステップの後、前記窓台の室外側の面及び上面を当該窓台の左右方向の全範囲に亘って覆うように前記中間防水部材を配置する第３のステップと、
前記第３のステップの後、前記一対の柱部材の室外側の面及び内側面と前記中間防水部材の左右両端部とを覆うように前記一対のコーナ防水部材を配置する第４のステップと、
前記第４のステップの後、前記窓台及び柱部材と前記サッシ枠との間に前記中間防水部材及びコーナ防水部材を挟み込むようにして前記サッシ枠を前記開口周縁部材に取り付ける第５のステップとを含む、ことを特徴とする窓開口の防水処理方法。
【請求項６】
請求項５に記載の窓開口の防水処理方法において、
前記一対のコーナ防水部材の素材として、鉛直面に沿ったシート状の本体部と当該本体部の左右両端部から上方に延びる一対の上方延設部とを含む前面カバー部と、前面カバー部の本体部の上縁から当該本体部の面直方向に突出する上面カバー部と、前面カバー部の各上方延設部の内縁から前記上面カバー部と同方向に突出する一対の側面カバー部とを有する防水素材を用意する準備ステップをさらに含み、
前記準備ステップでは、前記防水素材における前面カバー部の本体部及び前記上面カバー部に、前記前面カバー部及び上面カバー部を左右に２分割する線に沿って延びる一連の凹溝を形成し、
前記第２のステップでは、前記防水素材を前記凹溝の位置で２分割することにより前記一対のコーナ防水部材を用意し、
前記第４のステップでは、前記窓台に前記中間防水部材が取り付けられた状態の前記開口周縁部材の下側のコーナ部に分割後の前記一対のコーナ防水部材をそれぞれ取り付けることにより、前記窓台の左右方向の端部における室外側の面を前記中間防水部材の上から前記前面カバー部の本体部で覆い、前記窓台の左右方向の端部の上面を前記中間防水部材の上から前記上面カバー部で覆い、前記柱部材の室外側の面を前記前面カバー部の上方延設部で覆い、前記柱部材の内側面を前記側面カバー部で覆う、ことを特徴とする窓開口の防水処理方法。
【請求項７】
建物の外壁に形成された開口の下縁を規定する窓台及び当該開口の左右の側縁を規定する一対の柱部材を含む開口周縁部材と、当該開口周縁部材に嵌め込むように取り付けられるサッシ枠との間に配置され、前記サッシ枠から前記開口周縁部材への水の浸入を防ぐ可撓性の樹脂からなるサッシ用防水部材であって、
前記窓台の室外側の面を覆う本体部と当該本体部の左右両端部から上方に延びて前記一対の柱部材の室外側の面を覆う一対の上方延設部とを含む前面カバー部と、
前記前面カバー部の本体部の上縁から室内側に突出して前記窓台の上面を覆う上面カバー部と、
前記前面カバー部の各上方延設部の内縁から室内側に突出して前記柱部材の内側面を覆う一対の側面カバー部とを備え、
前記前面カバー部の本体部及び前記上面カバー部は、その室内側の面に、前記前面カバー部及び上面カバー部を左右に２分割する線に沿って形成された一連の凹溝を有する、ことを特徴とするサッシ用防水部材。
【発明の詳細な説明】
【技術分野】
【０００１】
本発明は、サッシ枠が嵌め込まれる窓開口の周縁部に防水処理を施す技術に関する。
【背景技術】
【０００２】
住宅等の建物に適用される防水窓構造として、下記特許文献１のものが知られている。この特許文献１の防水窓構造は、住宅の外壁に形成された開口に嵌め込まれるサッシ枠と、サッシ枠周りからの漏水を防止するための弾性シール材とを備えている。サッシ枠は、その周縁部に、上記開口の周縁部の室外側の面に当接・固定されるツバ部を有している。弾性シール材は、上記開口の形状に沿った矩形枠状に形成されており、上記ツバ部と開口の周縁部との間に挟み込まれるように配置される。
【先行技術文献】
【特許文献】
【０００３】
【特許文献１】特開２００３−３２８６５１号公報
【発明の概要】
【発明が解決しようとする課題】
【０００４】
上記特許文献１の防水窓構造によれば、サッシ枠のツバ部と開口の周縁部との間に配置される弾性シール材により、サッシ枠周りから室内側に雨水等の水が浸入するのを防止することができる。
【０００５】
しかしながら、上記特許文献１では、弾性シール材として開口もしくはサッシ枠の形状に対応した矩形枠状のシール材を用いる必要があるので、サッシ枠のサイズ（形状）ごとに専用のシール材を用意する必要がある。このことは、シール材の種類ごとに金型を用意する必要が生じるなど、コストアップの要因となる。
【０００６】
本発明は、上記のような事情に鑑みてなされたものであり、窓開口の寸法が種々異なった場合にも適用し得る汎用性の高い方法により的確に防水処理を行うことが可能な技術を提供することを目的とする。
【課題を解決するための手段】
【０００７】
前記課題を解決するためのものとして、本願の第１の発明は、建物の外壁に形成された開口の周縁を規定する開口周縁部材と、当該開口周縁部材に嵌め込むように取り付けられるサッシ枠と、当該サッシ枠と前記開口周縁部材との間に配置され、前記サッシ枠から前記開口周縁部材への水の浸入を防ぐ可撓性の樹脂からなるサッシ用防水部材とを備えた防水窓構造であって、前記開口周縁部材は、前記開口の下縁を規定する窓台と、前記開口の左右の側縁を規定する一対の柱部材とを有し、前記サッシ用防水部材は、前記窓台と前記サッシ枠との間に配置される中間防水部材と、前記窓台の左右両端部と前記一対の柱部材との接続部を含む前記開口周縁部材の下側のコーナ部と前記サッシ枠との間に配置される一対のコーナ防水部材とを有し、前記中間防水部材は、前記窓台の左右方向の全範囲に亘って延びるように形成され、かつ、前記各コーナ防水部材と前記窓台との間に前記中間防水部材の左右両端部が介在するように配置される、ことを特徴とするものである（請求項１）。
【０００８】
この第１の発明によれば、開口周縁部材の下縁部（つまり窓台）とサッシ枠との間に中間防水部材が配置されるとともに、開口周縁部材の下側のコーナ部とサッシ枠との間に一対のコーナ防水部材が配置されるので、開口周縁部材（もしくはサッシ枠）の寸法が種々異なった場合でも、これら中間防水部材及びコーナ防水部材を用いて的確に開口周縁部材の防水処理を行うことができる。すなわち、窓台を覆うことに特化した（つまり窓台に沿って左右方向に延びる形状を有する）中間防水部材をカットしたり複数つなぎ合わせることにより、種々の寸法の開口周縁部材の窓台を中間防水部材で適正に覆うことができる。さらに、この中間防水部材の左右両端部に重なる態様で、一対のコーナ防水部材が開口周縁部材の下側のコーナ部に配置されるので、これら中間防水部材とコーナ防水部材との協働により、開口周縁部材の窓台への漏水、つまりサッシ枠の周囲の隙間から浸入する雨水等の水が窓台に到達するのを効果的に防止することができる。
【０００９】
特に、第１の発明では、窓台の左右方向の全範囲を覆うように中間防水部材が配置されるので、サッシ枠の側辺部と柱部材との隙間を伝って雨水等の水が下方に移動してきたとしても、当該水が窓台に到達することが前記中間防水部材及びコーナ防水部材によって確実に阻止される。すなわち、窓台の左右両端部（言い換えれば窓台と一対の柱部材との接続部）は、サッシ枠の左右の側辺部と柱部材との隙間を伝って下方に移動してくる水の浸入を受け易い箇所であるが、前記第１の発明では、当該箇所が中間防水部材の左右両端部とコーナ防水部材とによって２重に覆われているので、前記窓台の左右両端部に水が到達すること、ひいては窓台から室内側に水が浸入することが、より高い確率で阻止される。
【００１０】
前記第１の発明において、好ましくは、前記コーナ防水部材は、前記窓台の左右方向の端部における室外側の面を覆う本体部と当該本体部の端部から上方に延びて前記柱部材の室外側の面を覆う上方延設部とを含む前面カバー部と、前面カバー部の本体部の上縁から室内側に突出して前記窓台の左右方向の端部の上面を覆う上面カバー部と、前面カバー部の上方延設部の内縁から室内側に突出して前記柱部材の内側面を覆う側面カバー部とを有し、前記中間防水部材は、前記窓台の左右方向の全範囲における室内側の面を覆う中間前面カバー部と、当該中間前面カバー部の上縁から室内側に突出して前記窓台の左右方向の全範囲の上面を覆う中間上面カバー部とを有し、かつ、これら中間前面カバー部及び中間上面カバー部の左右方向の端部が前記コーナ防水部材の前面カバー部及び上面カバー部と前記窓台との間に介在するように配置される（請求項２）。
【００１１】
この構成によれば、窓台の前面及び上面と、柱部材の前面及び内側面とを、これら各面に沿った形状を有する中間防水部材及びコーナ防水部材によって適正に覆うことができ、上述した作用効果を確実に得ることができる。
【００１２】
前記構成において、より好ましくは、前記コーナ防水部材の前記前面カバー部及び上面カバー部と、前記中間防水部材の前記中間前面カバー部及び中間上面カバー部との間に、両者を貼り合わせるための防水両面テープが設けられ、前記防水両面テープは、前記前面カバー部及び上面カバー部における前記開口の幅中心に近い側の端部に位置している（請求項３）。
【００１３】
この構成によれば、例えばサッシ枠の左右の側辺部と柱部材との隙間を伝って下方に移動してきた雨水等の水がコーナ防水部材の上面カバー部に到達した場合に、この水がコーナ防水部材と中間防水部材との隙間から室内側に浸入するのを確実に防止することができる。すなわち、コーナ防水部材の上面カバー部に水が到達した場合、この水は、例えば当該上面カバー部に沿って開口の幅中心に向かう側に移動した後、さらに、コーナ防水部材の前面／上面カバー部と中間防水部材の中間前面／上面カバー部との間の隙間に浸入することがある。しかも、当該隙間に浸入した水は、窓台と柱部材との接続部まで到達してさらに室内側へと移動するおそれがある。これに対し、前記構成では、コーナ防水部材の前面／上面カバー部における開口の幅中心に近い側の端部（言い換えれば窓台と柱部材との接続部から最も遠い側の端部）と、中間防水部材の中間前面／上面カバー部との間に防水両面テープが貼り付けられているので、前記経路による水の浸入を確実に防止することができる。
【００１４】
前記構成において、より好ましくは、前記前面カバー部は、前記本体部の上下方向の寸法が前記上方延設部の左右方向の寸法に対し２倍以上３倍以下の範囲で大きくなるように形成される（請求項４）。
【００１５】
この構成によれば、前面カバー部の本体部のうちサッシ枠の下縁よりも下方に位置する余剰部分の上下方向の寸法を比較的大きくとることができる。このため、例えば当該余剰部分の裏側（室内側）に防水用のシートを配置するような場合に、この防水用のシートと前記前面カバー部とのオーバーラップ量を十分に確保することができ、防水性能をより高めることができる。
【００１６】
また、本願の第２の発明は、建物の外壁に形成された開口の周縁を規定しかつサッシ枠が嵌め込まれる開口周縁部材に対し、可撓性の樹脂からなるサッシ用防水部材を用いて防水処理を施す方法であって、前記開口周縁部材として、前記開口の下縁を規定する窓台と、前記開口の左右の側縁を規定する一対の柱部材とを含むものを用意する第１のステップと、前記サッシ用防水部材として、前記窓台と同一の左右方向の寸法を有する中間防水部材と、前記窓台の左右両端部と前記一対の柱部材との接続部を含む前記開口周縁部材の下側のコーナ部に対応する形状の一対のコーナ防水部材とを含むものを用意する第２のステップと、前記第１及び第２のステップの後、前記窓台の室外側の面及び上面を当該窓台の左右方向の全範囲に亘って覆うように前記中間防水部材を配置する第３のステップと、前記第３のステップの後、前記一対の柱部材の室外側の面及び内側面と前記中間防水部材の左右両端部とを覆うように前記一対のコーナ防水部材を配置する第４のステップと、前記第４のステップの後、前記窓台及び柱部材と前記サッシ枠との間に前記中間防水部材及びコーナ防水部材を挟み込むようにして前記サッシ枠を前記開口周縁部材に取り付ける第５のステップとを含む、ことを特徴とするものである（請求項５）。
【００１７】
この第２の発明に係る防水処理方法によっても、上述した第１の発明（防水窓構造）と同様の作用効果を得ることができる。
【００１８】
前記第２の発明において、好ましくは、前記一対のコーナ防水部材の素材として、鉛直面に沿ったシート状の本体部と当該本体部の左右両端部から上方に延びる一対の上方延設部とを含む前面カバー部と、前面カバー部の本体部の上縁から当該本体部の面直方向に突出する上面カバー部と、前面カバー部の各上方延設部の内縁から前記上面カバー部と同方向に突出する一対の側面カバー部とを有する防水素材を用意する準備ステップをさらに含み、前記準備ステップでは、前記防水素材における前面カバー部の本体部及び前記上面カバー部に、前記前面カバー部及び上面カバー部を左右に２分割する線に沿って延びる一連の凹溝を形成し、前記第２のステップでは、前記防水素材を前記凹溝の位置で２分割することにより前記一対のコーナ防水部材を用意し、前記第４のステップでは、前記窓台に前記中間防水部材が取り付けられた状態の前記開口周縁部材の下側のコーナ部に分割後の前記一対のコーナ防水部材をそれぞれ取り付けることにより、前記窓台の左右方向の端部における室外側の面を前記中間防水部材の上から前記前面カバー部の本体部で覆い、前記窓台の左右方向の端部の上面を前記中間防水部材の上から前記上面カバー部で覆い、前記柱部材の室外側の面を前記前面カバー部の上方延設部で覆い、前記柱部材の内側面を前記側面カバー部で覆う（請求項６）。
【００１９】
このように、一対のコーナ防水部材として、左右対称の防水素材を凹溝の位置で２分割したものを使用するようにした場合には、一対のコーナ防水部材をそれぞれ個別に成型する必要がなく、コーナ防水部材の製造コストを削減することができる。もちろん、施工現場等で防水素材を左右に２分割する作業が必要にはなるが、分割すべき位置に一連の凹溝が形成された前記構成によれば、その作業性を良好なものとすることができる。すなわち、肉厚が薄くされた凹溝の存在により、防水素材を２分割する作業の作業負担を軽減できるとともに、分割すべき位置を凹溝によって明瞭に認識することができる。
【００２０】
また、本願の第３の発明は、建物の外壁に形成された開口の下縁を規定する窓台及び当該開口の左右の側縁を規定する一対の柱部材を含む開口周縁部材と、当該開口周縁部材に嵌め込むように取り付けられるサッシ枠との間に配置され、前記サッシ枠から前記開口周縁部材への水の浸入を防ぐ可撓性の樹脂からなるサッシ用防水部材であって、前記窓台の室外側の面を覆う本体部と当該本体部の左右両端部から上方に延びて前記一対の柱部材の室外側の面を覆う一対の上方延設部とを含む前面カバー部と、前記前面カバー部の本体部の上縁から室内側に突出して前記窓台の上面を覆う上面カバー部と、前記前面カバー部の各上方延設部の内縁から室内側に突出して前記柱部材の内側面を覆う一対の側面カバー部とを備え、前記前面カバー部の本体部及び前記上面カバー部は、その室内側の面に、前記前面カバー部及び上面カバー部を左右に２分割する線に沿って形成された一連の凹溝を有する、ことを特徴とするものである（請求項７）。
【００２１】
この第３の発明によれば、サッシ用防水部材を凹溝の位置で２分割することにより、分割後の一対の分割体を、上述した第１及び第２の発明における一対のコーナ防水部材として使用することができる。また、開口周縁部材（もしくはサッシ枠）の寸法によっては、当該サッシ用防水部材を凹溝の位置で２分割することなくそのまま使用することも可能である。このように、第３の発明によれば、汎用性および防水性能に優れたサッシ用防水部材を実現することができる。
【発明の効果】
【００２２】
以上説明したように、本発明によれば、窓開口の寸法が種々異なった場合にも適用し得る汎用性の高い方法により的確に防水処理を行うことができる。
【図面の簡単な説明】
【００２３】
【図１】本発明の一実施形態に係る防水窓構造の開口周縁部材を示す正面図である。
【図２】上記開口周縁部材にサッシ枠を取り付ける状態を示す分解斜視図である。
【図３】上記開口周縁部材にサッシ枠が取り付けられた状態を示す断面図であり、（Ａ）は上記開口周縁部材とサッシ枠との間に配置される防水部材等の部材の配置順を説明するための図、（Ｂ）は上記取り付けが完了した状態を示す図である。
【図４】中間防水部材の形状を示す斜視図である。
【図５】一対のコーナ防水部材の形状を示す斜視図である。
【図６】上記防水窓構造の施工手順（その１）を示す斜視図であり、（Ａ）は窓台の上面に防水両面テープを貼り付けた状態を、（Ｂ）は当該防水両面テープを介して中間防水部材が窓台に取り付けられた状態をそれぞれ示している。
【図７】上記防水窓構造の施工手順（その２）を示す斜視図であり、（Ａ）は開口周縁部材の下側のコーナ部にコーナ防水部材を取り付ける前の状態を、（Ｂ）は当該コーナ防水部材の取り付けが完了した状態をそれぞれ示している。
【図８】上記防水窓構造の施工手順（その３）を示す正面図であり、サッシ枠が開口周縁部材に取り付けられた状態を示している。
【図９】上記防水窓構造の施工手順（その４）を示す正面図であり、サッシ枠の周囲に防水両面テープが貼り付けられた状態を示している。
【図１０】上記防水窓構造の施工手順（その５）を示す正面図であり、サッシ枠の下側領域に透湿防水シートが取り付けられた状態を示している。
【図１１】上記防水窓構造の施工手順（その６）を示す正面図であり、サッシ枠の左右及び上側の領域に透湿防水シートが取り付けられた状態を示している。
【図１２】上記コーナ防水部材用の素材（防水素材）の形状を示す図であり、（Ａ）は防水素材を斜め前方から見た斜視図、（Ｂ）は防水素材を斜め後方から見た斜視図である。
【図１３】上記防水素材の形状を示す図であり、（Ａ）は正面図、（Ｂ）は背面図である。
【図１４】上記実施形態の変形例を説明するための図である。
【発明を実施するための形態】
【００２４】
以下、本発明の好ましい実施形態について、添付図面を参照しつつ説明する。
【００２５】
本実施形態に係る防水窓構造は、図１〜図３（Ｂ）に示されるように、建物の外壁１１に形成された開口１２の周囲を規定する開口周縁部材１０と、この開口周縁部材１０に取り付けられるサッシ枠２０と、これら開口周縁部材１０とサッシ枠２０との間に配置されるサッシ用防水部材３０とを備える。すなわち、本実施形態に係る防水窓構造では、開口周縁部材１０とサッシ枠２０との間にサッシ用防水部材３０が配置されることにより、サッシ枠２０から浸入した雨水等の水により前記開口周縁部材１０が濡れることが防止されるようになっている。
【００２６】
開口周縁部材１０は、建物の外壁１１において室内と室外とを連通するように形成された開口１２の周囲を規定する部材である。この開口周縁部材１０は、一対の柱部材１３，１３と、窓台１４と、まぐさ１５とを備える。
【００２７】
一対の柱部材１３，１３は、開口１２の左右の側縁を規定する部材である。一対の柱部材１３，１３は、例えば上下方向に延びる角材からなり、サッシ枠２０の幅寸法（図２における左右方向の長さ）に対応する間隔をあけて互いに平行に配置されている。
【００２８】
窓台１４は、開口１２の下縁を規定する部材である。窓台１４は、例えば水平方向（左右方向）に延びる角材からなり、外壁１１の所定の高さ位置において一対の柱部材１３、１３間に掛け渡されるように配置されている。
【００２９】
まぐさ１５は、開口１２の上縁を規定する部材である。まぐさ１５は、例えば水平方向（左右方向）に延びる角材からなり、窓台１４の上方において一対の柱部材１３、１３間に掛け渡されるように配置されている。具体的に、まぐさ１５は、窓台１４の上方においてサッシ枠２０の高さ寸法（図２における上下方向の寸法）に対応する間隔を空けて当該窓台１４と平行に配置されている。
【００３０】
このように、開口周縁部材１０は、水平方向に延びる窓台１４と、窓台１４の上方で当該窓台１４と平行に延びるまぐさ１５と、窓台１４とまぐさ１５との端部同士を接続する一対の柱部材１３，１３とを有し、これら各部材（１４，１５，１３，１３）によって開口１２の周縁（下縁、上縁、左右の側縁）を規定している。
【００３１】
サッシ枠２０は、ガラス窓を外壁１１に取り付けるための枠である。このサッシ枠２０は、窓台１４とまぐさ１５と一対の柱部材１３，１３とによって囲まれる開口１２に沿った形状（本実施形態では矩形）の枠本体２２と、枠本体２２から室内側に突出しかつ開口１２に嵌め込まれる嵌め込み部２４と、枠本体２２の外周縁から外側（枠本体２２の中心から遠ざかる方向）に向かって張り出す鍔部２６とを有している。鍔部２６は、枠本体２２の周方向の全体に亘って設けられており、嵌め込み部２４が開口１２に嵌め込まれた状態で、開口周縁部材１０の室外側の面（以下、前面ともいう）にサッシ用防水部材３０等を介して当接するように配置される。
【００３２】
サッシ用防水部材３０は、サッシ枠２０から浸入した雨水等の水によって開口周縁部材１０が濡れるのを防ぐための部材であり、本実施形態では、図４〜図７（Ｂ）に示されるように、開口周縁部材１０の窓台１４に配置される中間防水部材３１と、開口周縁部材１０の下側の各コーナ部（窓台１４と柱部材１３との接続部及びその近傍）に配置される一対のコーナ防水部材３５とを有している。このサッシ用防水部材３０（中間防水部材３１及びコーナ防水部材３５）は、可撓性を有する合成樹脂、例えばＰＥ（ポリエチレン）やＰＰ（ポリプロピレン）等の熱可塑性樹脂や、熱可塑性樹脂系のエラストマーまたは合成ゴムからなり、インジェクション射出成形によって一体成形されている。
【００３３】
中間防水部材３１は、図６（Ｂ）に示すように、窓台１４に沿って左右方向に延び、かつ窓台１４の左右方向の寸法（一対の柱部材１３，１３の内側面どうしの間隔）と同一の寸法を有するように形成されている。この中間防水部材３１は、図４及び図６（Ａ）（Ｂ）に示すように、中間上面カバー部３２と中間前面カバー部３３とを一体に備えている。
【００３４】
中間前面カバー部３３は、窓台１４の左右方向の全範囲における前面（室外側の面）を覆うように形成されている。具体的に、中間前面カバー部３３は、正面視において（室外側から室内側を見たときに）左右方向に長い矩形を呈するシート状のものであり、サッシ枠２０の鍔部２６と窓台１４との間に配置される。中間前面カバー部３３の高さ寸法（上下方向の寸法）は、中間前面カバー部３３の下端がサッシ枠２０の下側の鍔部２６の下端よりもさらに下側に位置するように設定されている。なお、鍔部２６よりも下側に位置する部分（余剰部分）の中間前面カバー部３３の裏側、つまり当該中間前面カバー部３３と外壁１１との間には、後述する透湿防水シート６２が配置される。
【００３５】
中間上面カバー部３２は、窓台１４の左右方向の全範囲の上面を覆うように形成されている。具体的に、中間上面カバー部３２は、中間前面カバー部３３の上縁から室内側に突出しかつサッシ枠２０の嵌め込み部２４と窓台１４との間に配置される本体部３２０と、本体部３２０の室内側の端部から上方に立ち上がる水返し部３２１とを有している。
【００３６】
本体部３２０は、平面視（上面視）で左右方向に長い矩形を呈するシート状のものであり、その前後幅、つまり開口周縁部材１０の開口面と直交する方向（室内から室外またはその逆に向かう方向）の寸法は、開口１２内にサッシ枠２０の嵌め込み部２４が嵌り込んだ状態において本体部３２０の室内側の端部が嵌め込み部２４の室内側の端部よりもさらに室内側に位置するように設定されている。これにより、サッシ枠２０（下枠）の前後方向におけるいずれの位置から雨水等の水が浸入してきても、この水が窓台１４に到達するのを防止することができる。
【００３７】
水返し部３２１は、その立上り代（上下方向の寸法）が本体部３２０の前後幅よりも小さくなるように、本体部３２０の室内側の端部から短く上方に突出している。このような水返し部３２１は、サッシ枠２０の下枠等から本体部３２０上に雨水等の水が漏れてきたときに、この水が室内側に流れ込むのを防止する役割を果たす。
【００３８】
図５及び図７（Ａ）に示すように、一対のコーナ防水部材３５は、それぞれ、上面カバー部３６と、側面カバー部３７と、前面カバー部３８とを一体に備えている。
【００３９】
前面カバー部３８は、開口周縁部材１０の下側のコーナ部の前面、つまり、窓台１４の左右方向の端部と柱部材１３の下端部の各前面（室外側の面）を覆うように形成されている。具体的に、前面カバー部３８は、正面視において上記コーナ部の形状に沿ったＬ字型を呈するシート状のものであり、サッシ枠２０の鍔部２６と窓台１４及び柱部材１３との間に配置される。言い換えると、前面カバー部３８は、窓台１４の左右方向の端部の前面を覆う本体部３８０と、本体部３８０の端部から上方に延びて柱部材１３の前面を覆う上方延設部３８１とを有している。
【００４０】
図５に示すように、本体部３８０の高さ寸法（上下方向の寸法）をＬ１とし、上方延設部３８１の幅寸法（左右方向の寸法）をＬ２とすると、前面カバー部３８は、Ｌ１をＬ２で割った値（Ｌ１／Ｌ２）が２以上３以下となるように設定されている。言い換えると、前面カバー部３８は、本体部３８０の高さ寸法Ｌ１が上方延設部３８１の幅寸法Ｌ２の２倍以上３倍以下の範囲で大きくなるように形成されている。
【００４１】
本体部３８０の高さ寸法Ｌ１は、中間防水部材３１の中間前面カバー部３３の高さ寸法と同一に設定されている。このため、本体部３８０は、その下端がサッシ枠２０の下側の鍔部２６の下端よりもさらに下側に位置するように配置される。
【００４２】
上面カバー部３６は、窓台１４の左右方向の端部の上面を覆うように形成されている。具体的に、上面カバー部３６は、前面カバー部３８の本体部３８０の上縁から室内側に突出しかつサッシ枠２０の嵌め込み部２４と窓台１４との間に配置される本体部３６０と、本体部３６０の室内側の端部から上方に立ち上がる水返し部３６１とを有している。
【００４３】
本体部３６０は、平面視（上面視）で左右方向に長い矩形を呈するシート状のものであり、その前後幅（開口周縁部材１０の開口面と直交する方向の寸法）は、中間防水部材３１の中間上面カバー部３２（本体部３２０）の前後幅と同一に設定されている。このため、開口１２内にサッシ枠２０の嵌め込み部２４が嵌り込んだ状態において、本体部３６０は、その室内側の端部が嵌め込み部２４の室内側の端部よりもさらに室内側に位置するように配置される。このことは、サッシ枠２０（下枠）から浸入した雨水等の水が窓台１４に到達するのを防止することにつながる。
【００４４】
水返し部３６１は、その立上り代（上下方向の寸法）が中間防水部材３１の水返し部３２１と同一になるように、本体部３６０の室内側の端部から短く上方に突出している。このような水返し部３６１は、サッシ枠２０の下枠等から本体部３６０上に雨水等の水が漏れてきたときに、この水が室内側に流れ込むのを防止する役割を果たす。
【００４５】
側面カバー部３７は、柱部材１３の下端部の内側面（開口１２を規定する面）を覆うように形成されている。具体的に、側面カバー部３７は、前面カバー部３８の上方延設部３８１の内縁（開口１２に近い側の縁部）から室内側に突出しかつサッシ枠２０の嵌め込み部２４と柱部材１３との間に配置される本体部３７０と、本体部３７０の室内側の端部から内側（開口１２の幅中心に向かう方向）に折り返された水返し部３７１とを有している。
【００４６】
本体部３７０は、開口１２内から柱部材１３側に向かう側面視において上下方向に長い矩形を呈するシート状のものであり、その前後幅（開口周縁部材１０の開口面と直交する方向の寸法）は、上面カバー部３６の本体部３６０の前後幅と同一に設定されている。また、水返し部３７１の折り返し幅（左右方向の寸法）は、上面カバー部３６の水返し部３６１の立ち上がり代と同一に設定されている。本体部３７０及び水返し部３７１は、正面視Ｌ字状の前面カバー部３８の内角部に対応する位置において、上面カバー部３６の本体部３６０及び水返し部３６１に接続されている。
【００４７】
以上のような一対のコーナ防水部材３５は、図１２（Ａ）〜図１３（Ｂ）に示される防水素材３５’を左右に２分割することにより形成される。防水素材３５’は、前面カバー部３８’と、上面カバー部３６’と、左右一対の側面カバー部３７’とを一体に備えている。
【００４８】
前面カバー部３８’は、鉛直面に沿ったシート状の部材であり、正面視で左右方向に長い矩形を呈する本体部３８０’と、本体部３８０’の左右両端部から上方に延びる一対の上方延設部３８１’とを有している。この前面カバー部３８’（本体部３８０’及び上方延設部３８１’）は、上述した一対のコーナ防水部材３５の各前面カバー部３８（本体部３８０及び上方延設部３８１）に対応している。
【００４９】
上面カバー部３６’は、前面カバー部３８’の本体部３８０’の上縁から当該本体部３８０’の面直方向に突出する本体部３６０’と、本体部３６０’の突出方向の先端から上方に立ち上がる水返し部３６１’とを有している。この上面カバー部３６’（本体部３６０’及び水返し部３６１’）は、上述した一対のコーナ防水部材３５の各上面カバー部３６（本体部３６０及び水返し部３６１）に対応している。
【００５０】
側面カバー部３７’は、前面カバー部３８’の上方延設部３８１’の内縁から上面カバー部３６’（その本体部３６０’）と同方向に突出する本体部３７０’と、本体部３７０’の突出方向の先端から内側に折り返された水返し部３７１’とを有している。この側面カバー部３７’（本体部３７０’及び水返し部３７１’）は、上述したコーナ防水部材３５の側面カバー部３７（本体部３７０及び水返し部３７１）に対応している。
【００５１】
前面カバー部３８’及び上面カバー部３６’の裏面には、一連のカット溝Ｓが形成されている。具体的に、カット溝Ｓは、前面カバー部３８’の本体部３８０’の裏面（上面カバー部３６’が突出している側の面）と、上面カバー部３６’の本体部３６０’の下面と、上面カバー部３６’の水返し部３６１’の裏面とに亘って形成されている。カット溝Ｓは、肉厚が相対的に薄くなるように形成された凹溝であり、防水素材３５’を左右に２分割（２等分）する線に沿って形成されている。
【００５２】
以上のような防水素材３５’は、これを開口周縁部材１０に取り付ける前に、カット溝Ｓ（凹溝）に沿って２分割される。そして、当該２分割によって形成される防水素材３５’の各分割体が、上述した一対のコーナ防水部材３５として用いられる。
【００５３】
次に、以上のようなサッシ用防水部材３０（中間防水部材３１及びコーナ防水部材３５）及びサッシ枠２０を開口周縁部材１０に取り付ける手順について説明する。
【００５４】
まず、図６（Ａ）に示されるように、窓台１４の上面に、当該窓台１４の左右方向の全範囲に亘って防水両面テープ６０が貼り付けられる。また、中間防水部材３１として、窓台１４と同一の左右方向の寸法を有するものが用意される。例えば、予め用意されたオリジナルの中間防水部材の長さが窓台１４の左右方向の寸法よりも長かった場合には、このオリジナルの中間防水部材が長手方向の途中でカットされることにより、窓台１４と同一の左右方向（長手方向）の寸法を有する中間防水部材３１が用意される。逆に、上記オリジナルの中間防水部材の長さが窓台１４の左右方向の寸法よりも短かった場合には、複数の当該中間防水部材が部分的に重ね合わせられつつ長手方向に連結されることにより、やはり窓台１４と同一の左右方向（長手方向）の寸法を有する中間防水部材３１が用意される。なお、オリジナルの中間防水部材の長さが窓台１４の左右方向の寸法と同一であった場合には、当然ながら、このオリジナルの中間防水部材がそのまま中間防水部材３１として使用される。
【００５５】
次に、用意された中間防水部材３１が、図６（Ｂ）に示されるように、防水両面テープ６０を介して窓台１４に取り付けられる。すなわち、窓台１４の左右方向の全範囲における前面及び上面が中間前面カバー部３３及び中間上面カバー部３２によりそれぞれ覆われるように中間防水部材３１が配置されるとともに、中間上面カバー部３２が防水両面テープ６０を介して窓台１４の上面に貼り付けられる。このとき、中間前面カバー部３３と中間上面カバー部３２との接続部（角部）が窓台１４の前面と上面との接続部（角部）と一致するように、中間防水部材３１が位置決めされる。なお、上記の施行手順から理解されるように、中間防水部材３１の左右方向の寸法と窓台１４の左右方向の寸法（一対の柱部材１３，１３の内側面どうしの間隔）との間には、ある程度の誤差が生じ得る。すなわち、本明細書において、中間防水部材３１の左右方向（長手方向）の寸法は、窓台１４と完全に同一である必要はなく、多少の誤差を含んでいてもよい。
【００５６】
このようにして中間防水部材３１が窓台１４に取り付けられると、次に図７（Ａ）に示されるように、一対のコーナ防水部材３５が用意されるとともに、各コーナ防水部材３５の前面カバー部３８の裏面（中間防水部材３１に対向する面）に防水両面テープ６０が貼り付けられる。一対のコーナ防水部材３５は、図１２（Ａ）〜図１３（Ｂ）を用いて既に説明したとおり、防水素材３５’をカット溝Ｓに沿って２分割することによって用意される。防水両面テープ６０は、各コーナ防水部材３５の前面カバー部３８及び上面カバー部３６の内側端部、詳しくは、当該前面カバー部３８及び上面カバー部３６における開口１２の幅中心に近い側の端部の裏面に貼り付けられる。
【００５７】
次に、図７（Ｂ）に示されるように、各コーナ防水部材３５が、開口周縁部材１０の下側のコーナ部にそれぞれ取り付けられる。すなわち、中間防水部材３１が取り付けられた状態の下側のコーナ部の各面が前面カバー部３８、上面カバー部３６、及び側面カバー部３７によりそれぞれ覆われるようにコーナ防水部材３５が配置されるとともに、前面カバー部３８及び上面カバー部３６が防水両面テープ６０を介して中間防水部材３１の前面及び上面（中間前面カバー部３３及び中間上面カバー部３２）に貼り付けられる。このとき、上面カバー部３６と側面カバー部３７との接続部（角部）が窓台１４の上面と柱部材１３の内側面との接続部（角部）と一致するように、コーナ防水部材３５が位置決めされる。このコーナ防水部材３５の取り付けにより、窓台１４の左右方向の端部の前面が中間防水部材３１（中間前面カバー部３３）の上から前面カバー部３８の本体部３８０によって覆われ、窓台１４の左右方向の端部の上面が中間防水部材３１（中間上面カバー部３２）の上から上面カバー部３６によって覆われ、柱部材１３の前面が前面カバー部３８の上方延設部３８１によって覆われ、柱部材１３の内側面が側面カバー部３７によって覆われる。
【００５８】
以上のようにして中間防水部材３１及びコーナ防水部材３５が開口周縁部材１０に取り付けられると、次に図８に示されるように、サッシ枠２０が開口周縁部材１０に取り付けられる。具体的には、嵌め込み部２４が開口１２内に挿入され、かつ鍔部２６の裏面が各防水部材３１，３５の前面カバー部３３，３８、柱部材１３の前面、及びまぐさ１５の前面と当接するように、サッシ枠２０が開口周縁部材１０に取り付けられる。
【００５９】
また、この取り付け状態において、サッシ枠２０の鍔部２６が柱部材１３、まぐさ１５、窓台１４等にビスや釘等で固定されることにより、サッシ枠２０が開口周縁部材１０に固定される。これにより、中間防水部材３１及びコーナ防水部材３５の各前面カバー部３３，３８が鍔部２６と窓台１４及び柱部材１３との間に挟み込まれ、両防水部材３１，３５の各上面カバー部３２，３６が嵌め込み部２４と窓台１４との間に挟み込まれ、コーナ防水部材３５の側面カバー部３７が嵌め込み部２４と柱部材１３との間に挟み込まれる。
【００６０】
サッシ枠２０が固定されると、次に図９に示されるように、サッシ枠２０の周りに防水両面テープ６０が貼り付けられる。具体的に、防水両面テープ６０は、サッシ枠２０の左右の側辺部及び上辺部（左右の鍔部２６及び上側の鍔部２６）に沿って貼り付けられる。このとき、サッシ枠２０の上辺部に沿って貼り付けられる防水両面テープ（上部の防水両面テープ）６０は、サッシ枠２０の左右の側辺部に沿って貼り付けられる防水両面テープ（左右の防水両面テープ）６０に対し前側（室外側）から重ね合わせられるとともに、この重ね合わせ部において、上部の防水両面テープ６０が左右の防水両面テープ６０よりも上側にはみ出さないように、左右の防水両面テープ６０の長さが調整される。
【００６１】
サッシ枠２０の周りに防水両面テープ６０が貼り付けられると、次に図１０に示すように、サッシ枠２０の下側の外壁１１を覆うように透湿防水シート６２が取り付けられる。具体的に、透湿防水シート６２は、中間防水部材３１及びコーナ防水部材３５の各前面カバー部３３，３８よりも低い高さ位置から各前面カバー部３３，３８の上下方向の途中部（より詳しくは窓台１４の上下幅の略中央部）に対応する位置までの範囲を覆うように取り付けられる。このとき、透湿防水シート６２の上端部は、中間防水部材３１及びコーナ防水部材３５の各前面カバー部３３，３８（より詳しくは前面カバー部３３，３８のうち鍔部２６の下縁よりも下方に位置する余剰部分）と窓台１４及び外壁１１との間に差し込まれる。その後、透湿防水シート６２は、柱部材１３等に釘等によって固定される。
【００６２】
サッシ枠２０の下側領域に透湿防水シート６２が取り付けられると、次に図１１に示されるように、サッシ枠２０と同じ高さ領域やサッシ枠２０よりも上側の領域にも透湿防水シート６２が取り付けられる。具体的には、まずサッシ枠２０の左右両側の領域に透湿防水シート６２が取り付けられる。この透湿防水シート６２は、左右の鍔部２６及びコーナ防水部材３５の各前面を含む領域を覆うように取り付けられるとともに、図９に示した左右の防水両面テープ６０に貼り付けられる。このとき、当該透湿防水シート６２の下端部と、既に取り付けられている透湿防水シート６２（サッシ枠２０の下側領域に取り付けられた透湿防水シート６２）の上端部とが、上側のシートが下側のシートよりも前側（室外側）に位置するような関係で重ね合わせられる。次に、サッシ枠２０の上側領域にも別の透湿防水シート６２が取り付けられる。この透湿防水シート６２は、上側の鍔部２６の前面を含む領域を覆うように取り付けられるとともに、図９に示した上部の防水両面テープ６０に貼り付けられる。このとき、当該透湿防水シート６２の下端部と、その下側の（サッシ枠２０の左右に取り付けられた）透湿防水シート６２の上端部とが、上側のシートが下側のシートよりも前側に位置するような関係で重ね合わせられる。
【００６３】
このようにしてサッシ枠２０の周囲（上下左右）に透湿防水シート６２が取り付けられると、その前側からサイディング等の外壁部材が取り付けられる。これにより、建物の外壁面が形成される。
【００６４】
以上説明したように、本実施形態では、開口周縁部材１０の下縁部（つまり窓台１４）とサッシ枠２０との間に中間防水部材３１が配置されるとともに、開口周縁部材１０の下側のコーナ部とサッシ枠２０との間に一対のコーナ防水部材３５が配置されるので、開口周縁部材１０（もしくはサッシ枠２０）の寸法が種々異なった場合でも、これら中間防水部材３１及びコーナ防水部材３５を用いて的確に開口周縁部材１０の防水処理を行うことができる。すなわち、窓台１４を覆うことに特化した（つまり窓台１４に沿って左右方向に延びる形状を有する）中間防水部材３１をカットしたり複数つなぎ合わせることにより、種々の寸法の開口周縁部材１０の窓台１４を中間防水部材３１で適正に覆うことができる。さらに、この中間防水部材３１の左右両端部に重なる態様で、一対のコーナ防水部材３５が開口周縁部材１０の下側のコーナ部に配置されるので、これら中間防水部材３１とコーナ防水部材３５との協働により、開口周縁部材１０の窓台１４への漏水、つまりサッシ枠２０の周囲の隙間から浸入する雨水等の水が窓台１４に到達するのを効果的に防止することができる。
【００６５】
特に、上記実施形態では、窓台１４の左右方向の全範囲を覆うように中間防水部材３１が配置されるので、サッシ枠２０の側辺部と柱部材１３との隙間を伝って雨水等の水が下方に移動してきたとしても、当該水が窓台１４に到達することが上記中間防水部材３１及びコーナ防水部材３５によって確実に阻止される。すなわち、窓台１４の左右両端部（言い換えれば窓台１４と一対の柱部材１３との接続部）は、サッシ枠２０の左右の側辺部と柱部材１３との隙間を伝って下方に移動してくる水の浸入を受け易い箇所であるが、上記実施形態では、当該箇所が中間防水部材３１の左右両端部とコーナ防水部材３５とによって２重に覆われているので、上記窓台１４の左右両端部に水が到達すること、ひいては窓台１４から室内側に水が浸入することが、より高い確率で阻止される。
【００６６】
より具体的に、上記実施形態では、中間防水部材３１として、中間前面カバー部３３と中間上面カバー部３２とを有するものが用意され、窓台１４の左右方向の全範囲における前面（室外側の面）及び上面が、中間前面カバー部３３及び中間上面カバー部３２によりそれぞれ覆われる。また、コーナ防水部材３５として、前面カバー部３８と上面カバー部３６と側面カバー部３７とを備えるものが用意され、窓台１４の左右両端部の前面及び上面が、これを既に覆っている中間防水部材３１（中間前面カバー部３３及び中間上面カバー部３２）の上から、さらに前面カバー部３８の本体部３８０及び上面カバー部３６によって覆われるとともに、柱部材１３の下端部の前面及び内側面が、前面カバー部３８の上方延設部３８１及び側面カバー部３７によって覆われる。このような構成によれば、窓台１４の前面及び上面と、柱部材１３の前面及び内側面とを、これら各面に沿った形状を有する中間防水部材３１及びコーナ防水部材３５によって適正に覆うことができ、上述した作用効果を確実に得ることができる。
【００６７】
また、上記実施形態では、図７（Ｂ）に示したように、コーナ防水部材３５の前面／上面カバー部３８，３６の内側端部（各カバー部の開口１２の幅中心に近い側の端部）と、中間防水部材３１の中間前面／上面カバー部３３，３２との間に防水両面テープ６０が貼り付けられている。このような構成によれば、例えばサッシ枠２０の左右の側辺部と柱部材１３との隙間を伝って下方に移動してきた雨水等の水がコーナ防水部材３５の上面カバー部３６に到達した場合に、この水がコーナ防水部材３５と中間防水部材３１との隙間から室内側に浸入するのを確実に防止することができる。
【００６８】
すなわち、コーナ防水部材３５の上面カバー部３６に水が到達した場合、この水は、例えば当該上面カバー部３６に沿って開口１２の幅中心に向かう側に移動した後、さらに、コーナ防水部材３５の前面／上面カバー部３８，３６と中間防水部材の中間前面／上面カバー部３３，３２との間の隙間に浸入することがある。しかも、当該隙間に浸入した水は、窓台１４と柱部材１３との接続部まで到達してさらに室内側へと移動するおそれがある。これに対し、上記実施形態では、コーナ防水部材３５の前面／上面カバー部３８，３６における開口１２の幅中心に近い側の端部（言い換えれば窓台１４と柱部材１３との接続部から最も遠い側の端部）と、中間防水部材３１の中間前面／上面カバー部３３，３２との間に防水両面テープ６０（図７（Ｂ））が貼り付けられているので、上記経路による水の浸入を確実に防止することができる。
【００６９】
また、上記実施形態において、コーナ防水部材３５は、前面カバー部３８の本体部３８０の高さ寸法（上下方向の寸法）Ｌ１が、前面カバー部３８の上方延設部３８１の幅寸法（左右方向の寸法）Ｌ２に対し２倍以上３倍以下の範囲で大きくなるように形成されている。このような構成によれば、前面カバー部３８の本体部３８０のうちサッシ枠２０の下縁（下側の鍔部２６の下縁）よりも下方に位置する余剰部分の高さ寸法を比較的大きくとれるので、この余剰部分と、その裏側（室内側）に重ねて配置される透湿防水シート６２とのオーバーラップ量を十分に確保することができ、防水性能をより高めることができる。
【００７０】
また、上記実施形態では、一対のコーナ防水部材３５として、左右対称の防水素材３５’をカット溝Ｓの位置で２分割したものが使用されるので、一対のコーナ防水部材３５をそれぞれ個別に成型する必要がなく、コーナ防水部材３５の製造コストを削減することができる。もちろん、施工現場等で防水素材３５’を左右に２分割する作業が必要にはなるが、分割すべき位置に一連のカット溝Ｓが形成された上記実施形態によれば、その作業性を良好なものとすることができる。すなわち、肉厚が薄くされたカット溝Ｓ（凹溝）の存在により、防水素材３５’を２分割する作業の作業負担を軽減できるとともに、分割すべき位置をカット溝Ｓによって明瞭に認識することができる。
【００７１】
なお、本発明の防水窓構造及び防水処理方法、並びにサッシ用防水部材は、上記実施形態に限定されるものではなく、本発明の趣旨を逸脱しない範囲で種々の変更を加えることが可能である。
【００７２】
例えば、上記実施形態では、一対のコーナ防水部材３５の素材である防水素材３５’の上面カバー部３６’の左右方向の寸法よりも、窓台１４の左右方向の寸法の方が長いことを前提に、防水素材３５’を左右に２分割して一対のコーナ防水部材３５を形成し、これら一対のコーナ防水部材３５を中間防水部材３１と併せて防水処理に使用するようにしたが、窓台１４の左右方向の寸法が短い場合には、上記とは別の施工手順で開口周縁部材１０に防水処理を施すことが可能である。例えば、窓台１４の左右方向の寸法が防水素材３５’の上面カバー部３６’の左右方向の寸法と全く同一である場合には、防水素材３５’を左右に２分割することなく、そのままサッシ用防水部材として使用することが可能である。また、窓台１４の左右方向の寸法が防水素材３５’の上面カバー部３６’の左右方向の寸法よりも短い場合には、図１４に示すように、防水素材３５’を左右に２分割して一対のコーナ防水部材３５を形成し、かつ当該一対のコーナ防水部材３５を部分的に重ね合わせつつ両面テープ等を用いて左右方向に連結することにより、防水素材３５’よりも左右方向の寸法が短縮された連結体を形成する。そして、この連結体（つまり一対のコーナ防水部材３５，３５を連結したもの）を、サッシ用防水部材として開口周縁部材１０の防水処理に使用する。
【符号の説明】
【００７３】
１０  開口周縁部材
１１  外壁
１２  開口
１３  柱部材
１４  窓台
２０  サッシ枠
３０  サッシ用防水部材
３１  中間防水部材
３２  中間上面カバー部
３３  中間前面カバー部
３５  コーナ防水部材
３６  上面カバー部
３７  側面カバー部
３８  前面カバー部
３８０  本体部
３８１  上方延設部
３５’  防水素材
Ｓ  カット溝（凹溝）
【図１】
2020041295.tif 000003
【図２】
2020041295.tif 000004
【図３】
2020041295.tif 000005
【図４】
2020041295.tif 000006
【図５】
2020041295.tif 000007
【図６】
2020041295.tif 000008
【図７】
2020041295.tif 000009
【図８】
2020041295.tif 000010
【図９】
2020041295.tif 000011
【図１０】
2020041295.tif 000012
【図１１】
2020041295.tif 000013
【図１２】
2020041295.tif 000014
【図１３】
2020041295.tif 000015
【図１４】
2020041295.tif 000016